Podtech/llm-jp-corpus-v4-ja_patent huggingface dataset:
(57)【要約】      （修正有）【課題】シートで密封され衛生的な手拭きと爪楊枝を飲食者に提供するほか、爪楊枝とカード状薄板を用いた箸置きを提供する。【解決手段】両短辺外縁部の中央に爪楊枝３が通過しうる孔をそれぞれ一ヶ所穿設した扁平に復元する略名刺大のカード状薄板１と、手拭き及び爪楊枝を破断可能なシート材で上下から密封接着し、該カード状薄板と該爪楊枝を用いて箸置きを構成できるようにする。【選択図】図３
0003146352.tif 000002
【実用新案登録請求の範囲】
【請求項１】
両短辺外縁部の中央に爪楊枝が通過しうる孔をそれぞれ一ヶ所穿設した扁平に復元する略名刺大のカード状薄板と、手拭き及び爪楊枝を破断可能なシート材で上下から密封接着し、該カード状薄板と該爪楊枝を用いた箸置き。
【考案の詳細な説明】
【技術分野】
【０００１】  本考案は、手拭きと爪楊枝及び扁平に復元する略名刺大のカード状薄板を破断可能なシート材で上下から密封接着し、手拭きと爪楊枝として利用するほか、該カード状薄板と該爪楊枝を用いて箸置きとして利用するものである。
【技術背景】
【０００２】  飲食店では、陶磁器などで出来た箸置きを提供する店は多いが、購入する費用や洗う時間と労力がかかるし、壊したり持ち去られたりして悩みの種でもある。
【０００３】    また、包装されてない爪楊枝を容器に入れて出す店では、複数の飲食者の指が何本もの爪楊枝に触れるため不衛生であるばかりでなく、異物等が爪楊枝に付着したり容器に混入するとも限らない。
【考案の開示】
【考案が解決しようとする課題】
【０００４】  本考案は、飲食店の箸置きを洗う時間と労力を省き、壊れない箸置きを飲食者に提供する他に、異物等が爪楊枝に付着したり容器に混入するのを防ぎ、衛生的な爪楊枝を提供することを目的としている。
【課題を解決するための手段】
【０００５】  この課題を解決するために、略名刺大のカード状薄板１は、扁平に復元するものからなり、両短辺外縁部の中央に爪楊枝３が通過しうる孔５をそれぞれ一ヶ所穿設する。【０００６】  次に、手拭き４を該カード状薄板１の面に重ね、該手拭き４を重ねた該カード状薄板１の面の長辺に爪楊枝３の長手方向が平行となるよう接着部を介して配置し、破断可能なシート材２で上下から密封接着する。
【考案の効果】
【０００７】  手拭き４、爪楊枝３、カード状薄板１がシート材２で密封接着されたものを飲食者に提供することによって、手拭きや箸置きを出さなかった飲食店でも、廉価にて手拭きや箸置きを提供できるし、箸置きを洗うこともなく壊したりすることもない。また、爪楊枝３は、飲食者に提供されるまでシート材２に密封接着されているため異物等が爪楊枝に付着したり容器に混入するのを防ぎ、衛生的な爪楊枝を提供することができる。
【考案を実施するための最良の形態】
【０００８】  図１は、上から（Ａ）（Ｂ）（Ｃ）（Ｄ）の順に重ね密封接着する前の斜視概略図であるが（Ａ）及び（Ｄ）のシート材は、破断可能で印字可能なものを用いる。（Ｂ）の手拭きは、四つ折り、六つ折り等したとき、略名刺大となるものを用いる。（Ｃ）は爪楊枝とカード状薄板であるが、爪楊枝は市販されているものや、店独自で作成したものでもよい。また、カード状薄板は、扁平に復元して印字可能なものであれば竹、紙、木、合成樹脂等いずれでもよい。【０００９】  図２は、図１の（Ａ）（Ｂ）（Ｃ）（Ｄ）の順に密封接着（斜線は接着部）した概略平面図である。【００１０】  図３は、シート材２を破断したあとの爪楊枝３とカード状薄板１を用いた箸置きの斜視概略図であるが、飲食店は、手拭き４、爪楊枝３、カード状薄板１をシート材２で密封接着したものを来店時に飲食者に提供する。【００１１】  手拭き４、爪楊枝３、カード状薄板１をシート材２で密封接着したものを提供された飲食者は、シート材２を破断したあと爪楊枝３とカード状薄板１を用いて箸置きを作るのだが、予めシート材２の面に簡単な説明又は図を印刷しそれに従って作る。その作り方の詳細を説明すると、カード状薄板１を円筒状に丸め、両短辺外縁部中央に穿設されている孔５を重ねたところに爪楊枝３を尖端から通過させる。【００１２】  次に、該爪楊枝３を尖端から通過させたまま、カード状薄板１の円筒状に丸めている力を解放したとき、該カード状薄板１の扁平に復元する力が爪楊枝３により一定の形状で係止した状態になり、この係止した形態でカード状薄板１の面をテーブル等に置き箸置きとして利用する。【００１３】以上のように本考案は、飲食店が手拭き、爪楊枝、箸置きを同時に提供することが出来るばかりでなく、嵩張りもせず軽量なため大勢の飲食者が来ても対応が容易である。【００１４】  また、扁平に復元するカード状薄板１は、略名刺大の大きさにしてあるため飲食者の財布や名刺入れに入れて持ち帰って貰うことを念頭に入れたもので、カード状薄板１の面に割引の特典や抽選券など飲食店独自で考えたものを印刷すればその効果は計り知れないものとなる。
【図面の簡単な説明】
【００１５】
【図１】は、密封接着する前の上から順に、（Ａ）シート材２、（Ｂ）手拭き４、（Ｃ）爪楊枝３とカード状薄板１、（Ｄ）シート材２の斜視概略図である。
【図２】は、爪楊枝３とカード状薄板１に手拭き４を重ねた部分をシート材で密封接着（斜線は接着部）した概略平面図である。
【図３】は、カード状薄板１を円筒状に丸め、両短辺外縁部の中央に穿設された孔５を重ねて爪楊枝３を尖端から通過させ、次に、該爪楊枝３を尖端から通過させたままカード状薄板１の円筒状に丸めている力を解放したとき、該カード状薄板１の扁平に復元する力が爪楊枝３により一定の形状で係止した状態になり、この係止した形態でカード状薄板１の面をテーブル等に置いたときの箸置きの概略図である。
【符号の説明】
【００１６】  １・・・・カード状薄板
２・・・・シート材
３・・・・爪楊枝
４・・・・手拭き
５・・・・孔
６・・・・箸
７・・・・カード状薄板１に手拭き４を重ねた部分
８・・・・接着部
【図１】
0003146352.tif 000003
【図２】
0003146352.tif 000004
【図３】
0003146352.tif 000005
(57)【要約】      （修正有）【課題】車体側面に取り付けて、タープを簡単に設営出来るフックを提供する。【解決手段】フック金具３の芯棒６に伸縮材２を設け、磁石１）に取り付けて、車体７面に傷を付けないように磁石１の接する方に、保護シート４を貼って、フック金具３にタープを掛け、タープが簡単に張れるようにした、又、フック金具付き磁石の特徴は、車体７の材質鉄分を利用して、磁石１で固定する事にあるが、磁石１の吸引力にも限界があり、引っ張られる力を成るべく直接受けないで、柔らげる為に伸縮材２で調整出来るようにしたフック金具付き磁石。【選択図】図２
0003146351.tif 000002
【実用新案登録請求の範囲】
【請求項１】
フック金具の芯棒に伸縮材を設け、磁石に取り付けて、車体面に傷を付けないように磁石が接する方に保護シートを貼ったフック金具付き磁石。
【考案の詳細な説明】
【技術分野】
【０００１】  本考案は、車両の側方における日よけや雨よけとして使用される車両用タープに関係するものである。
【背景技術】
【０００２】  一般にテントやタープの設営は面倒である。
【考案の開示】
【考案が解決しようとする課題】
【０００３】  本考案は以上の実情に鑑みて開発したものであって、目的とするところは、通常のタープの設営より、容易に作業が出来る事を提供することにある。
【問題を解決するための手段】
【０００４】前記した目的を達成するためには、車体側に、フック金具付き磁石を取り付けて、タープの一端側をフックに掛け、他端側を外側に引っ張った状態にして、支持ポールで支持し、タープが簡単に張れるようにした。
【考案の効果】
【０００５】車体の鉄である材質を利用し、車体の側面にフック金具を磁石に取り付けて、簡単にタープやテントをフックに掛けて、通常のタープの設営より、容易に作業が出来る。
【考案を実施するための最良の形態】
【０００６】フック金具（３）の芯棒（６）に伸縮材（２）を設け、磁石（１）に取り付けて、車体（７）面に傷を付けないように磁石（１）の接する方に、保護シート（４）を貼って、フック金具（３）にタープ（８）を掛け、タープ（８）が簡単に張れるようにした、又、フック金具付き磁石の特徴は、車体（７）の材質鉄分を利用して、磁石（１）で固定する事にあるが、磁石（１）の吸引力も限界があり、引っ張られる力を成るべく直接受けないで、柔らげる為に伸縮材（２）で調整出来るようにした。
【図面の簡単な説明】
【０００７】
【図１】実施形態を示す詳細図
【図２】フック金具付き磁石の断面詳細図
【図３】フック金具付き磁石の姿図
【符号の説明】
【０００８】▲１▼磁石
▲２▼伸縮材
▲３▼フック金具
▲４▼保護シート
▲５▼本体カバー
▲６▼芯棒
▲７▼車体
▲８▼タープ
▲９▼支持ポール
【図１】
0003146351.tif 000003
【図２】
0003146351.tif 000004
【図３】
0003146351.tif 000005
(57)【要約】      （修正有）【課題】通信販売などに使用されるカタログなどを掲載した折たたみハガキに関して、製造コストを削減するだけでなく、省資源にもつながる見開きハガキを提案する。【解決手段】感熱接着剤を塗布した外面フィルムと、印刷がなされた内面フィルムをドライラミネートし、自動で半折、フラップを繰り返して折たたみ、熱圧着でとめることにより無駄な紙や作業を大幅に削減する事を特徴とする。【選択図】図１
0003146330.tif 000002
【実用新案登録請求の範囲】
【請求項１】
感熱接着剤が塗布された合成樹脂製フィルムが外面に、印刷がなされた合成樹脂製フィルムが内面となるように２種類のフィルムをドライラミネートし、それを半折重合、フラップ重合などを繰り返してなる事を特徴とする見開きハガキ。
【請求項２】
外面フィルムと、印刷がなされた内面フィルムの両方共に感熱接着剤が塗付された請求項１記載の見開きハガキ。
【考案の詳細な説明】
【技術分野】
【０００１】  本考案は通信販売などに使用されるカタログなどを掲載した折たたみハガキに関する。
【背景技術】
【０００２】  従来、通信販売などに使用されている封筒は、各種の商品広告物を収納し、尚且つ物理的な衝撃に耐えうる丈夫な紙、またはプラスチック製の封筒が用いられている。
【考案の開示】
【考案が解決しようとする課題】
【０００３】  従来の通信販売業者などでは、多種多様の商品広告物を顧客に郵送する場合、高価な自動包装機や人手を使用して封入作業をするので、それらの作業が製造コストの負担となっていた。
本考案では、そのような製造コストを削減するだけでなく、省資源にもつながる見開きハガキを提案するものである。
【課題を解決するための手段】
【０００５】  上記目的を達成する為に、感熱接着剤を塗布した外面フィルムと、印刷がなされた内面フィルムをドライラミネートし、自動で半折、フラップを繰り返して折たたみ、熱圧着でとめることにより無駄な紙や作業を大幅に削減した見開きハガキを提供するものである。熱圧着でとめられた面は、ハガキを受け取った客が軽い力でスムーズにめくることが可能である。なお、ハガキのサイズは情報量によりＢ５サイズやＡ４サイズなど適宜選択する事とする。
【考案の効果】
【０００６】  本考案の見開きハガキは、予め各種商品の広告物を印刷したフィルムと、感熱接着剤を塗布したフィルムとをドライラミネートしている為、印刷されたフィルムを内側にして自動で折りたたんで行き、輸送サイズになったところで熱圧着するだけで通信販売などのカタログハガキが完成する。そのため紙などの無駄な資材や、封筒に投入するという作業が大幅に削減され、コスト削減だけでなく、資源削減にもなる。
【実施例】
【０００７】    本考案の見開きハガキは、第３図に示されるように、外面フィルム１に感熱接着剤２を塗付し、印刷を施した内面フィルム３とドライラミネートすることにより、見開きハガキの素材とする。外面フィルムの材質には、ポリエステル０．０１２μ〜０．０２μが、内面フィルムの材質にはポリプロピレン０．０１５μ〜０．０２μが最適であるが、適宜選択し、他の材質でも可能である。印刷方法はグラビア印刷が適しているが、他の印刷方法、フレキソ印刷でも可能である。また、メタリック印刷又は東洋紡績（株）のパール原紙などを使用すれば印刷の表裏透過を防ぐ効果がある。更に表面に筆記が出来るように租面化インキによる印刷を設けても良い。【０００８】  見開きハガキ用素材は、半折重合或いはフラップ折りを面数の数に合わせて行い、感熱接着剤塗付を施した面と面を合わせて重合し、熱圧着溶着の加工をして一体化させる。そのことにより省資源・低コストの通信販売用カタログが完成する。
【図面の簡単な説明】
【図１】  本考案の見開きハガキを半折、或いは重合する前の全体を示した一態様の正面図である。ハガキの寸法で１６面付となっている。
【図２】  本考案の見開きハガキを半折、或いは重合した後のハガキの寸法となった正面図である。
【図３】  図１で示したＡ−Ａ’の断面図である
【図４】  図２で示したＢ−Ｂ‘の一態様の断面図である。
【符号の説明】
【００１０】１  外面フィルム
２  感熱接着層
３  内面フィルム
４  印刷面
５  ドライラミネート部
【図１】
0003146330.tif 000003
【図２】
0003146330.tif 000004
【図３】
0003146330.tif 000005
【図４】
0003146330.tif 000006
(57)【要約】      （修正有）【課題】使用者の皮膚への体圧による悪影響をなくし、洗濯などの長期使用によるゴムの劣化で起こる裾口部分が広がるといった欠点を改善して耐久寿命を向上させることができ、使用者自身による手の侵入を防ぎ排泄物の接触を阻止できるスモックを提供する。【解決手段】スモック本体から生地と生地とのつなぎ目である縫い代を無くすことで段差をなくし使用者の皮膚への負担を軽減し、裾口部分にはゴム部と紐部からなる二重構造を配置することで耐久性も向上でき、さらには、長期使用中に問題となっていたゴムの劣化による排泄物への接触といった衛生面の問題も同時に解決し衛生環境を向上させた。【選択図】図２
0003146329.tif 000002
【実用新案登録請求の範囲】
【請求項１】
スモック本体の縫い代部を無くすことで使用者の段差による寝返りの障害を軽減しさらにはこれによっておこる床ずれなどの疾病をも防止することを特徴とするスモック。
【請求項２】
スモック本体の裾部に紐部を設ける事でゴム部との二重構造にしたので耐久性を向上させ、寝ていることの多い患者が、長期間使用にしても十分に対応できることを特徴とするスモック。
【考案の詳細な説明】
【技術分野】
【０００１】本考案は，老人性痴呆性の患者が，裾からオムツの中に手を差し込むのを防止する紐とゴムの二重構造と縫い代部の段差と継ぎ目を無くし患者への負担を減らした筒型形状のスモックに関する。
【背景技術】
【０００２】従来のスモックは、本体の両側に縫い代部があり、この部分が長時間寝たままの姿勢で自身で寝返りをうてない患者はこの部分が皮膚を圧迫し床ずれなどの原因となったり、寝返りをうつ時の障害となった。又、長い期間使用していると裾部がゴム部だけだとゴムの劣化に伴い裾が広がってしまい、裾の部分がずれ上がりがおきこの部分からオムツに手を入れてしまい周囲を汚してしまい非衛生的になってしまった。
【考案の開示】
【考案が解決しよううとする課題】
【０００３】生地と生地のつなぎ目である縫い代を無くすことで体圧による皮膚への影響を軽減できこれによる床ずれなどの疾病防止につながり、生地と生地とのつなぎ目は、段差によっておこる患者自身の寝返りをうつといった動作の妨げにもなっていた。又、裾部もゴム部分だけでは耐久性に欠点があり長期使用によるゴムの劣化に伴う裾部の広がりは避けられず、この部分から使用者が直接オムツに手を触れるといった結果を招き衛生面での欠点をも同時に解決するものである。
【課題を解決するための手段】
【０００４】本考案は、縫い代をファスナー部周辺に設けることでスモック本体の生地と生地との両側のつなぎ目である縫い代を無くした。このことで寝返りなどの動作の妨げになる生地による段差を無くし、患者自身の体圧によっておこる縫い代の段差による皮膚への影響も軽減できる。又、紐部を裾部を裾口部分に設けることで長期使用によるゴムの劣化に伴う裾のめくり上がり、患者自身の裾部からの下腹部への手の侵入、といった問題点を解決している。
【考案の効果】
【０００５】上述の様に、本考案の新安心スモックは、縫い代をファスナー部周辺に設けたので縫い代が無くなり生地どうしによる段差が無く従来の安心スモックに比べ患者の負担が軽減できる。紐部を裾口部分に設けることで長期使用によるゴムの劣化でおこる裾部の広がりによる裾のめくり上がり、患者自身による裾部からの下腹部への手の侵入、といったトラブルも防止でき周囲への衛生面の向上も望める。紐部を設けたので安心スモックより耐久性も向上し金銭面の負担も軽減することができる。
【考案の実施するための最良の形態】
【０００６】スモック本体の縫い代部をファスナー部周辺に配置することでスモック本体を一体形成でき生地どうしの段差を無くすことに成功した。この結果、患者の体圧が縫い代に集中することで起こる皮膚の炎症や横になっている時間が多い患者におこりがちな、床ずれなどの発生要因と考えられていた体圧集中による皮膚への影響を減らすことができた。裾口部分には安心スモックには無かった紐部を設けることでゴム部と紐部の二重構造となるので耐久性に優れ以前のゴム部だけの構造形態による型くずれの不安や長期使用でおこる洗濯によるゴム部の劣化、裾口部分の広がりからおこる患者による手の侵入を防止できたいへん衛生的である。
【実施例】
【０００７】以下、添付図面に従って一実施例を説明する。１、は耐久性、抗菌性等適宜素材にて形成されたスモック本体、２、は裾口部に配置したゴム、３、はその上部に紐を配置する。
【図面の簡単な説明】
【０００８】
【図１】本考案の新安心スモックの実施例を示す背面図
【図２】本考案の新安心スモックのＡ−Ａ’をしめす拡大断面図
【符号の説明】
【０００９】１，スモック本体
２，ゴム
３，紐
４，ファスナー
【図１】
0003146329.tif 000003
【図２】
0003146329.tif 000004
(57)【要約】      （修正有）【課題】体を動かしてもずれず、使用したまま立ち歩きが出来、容易に足・腹・腰・尻を同時に温めることができるロング丈巻きスカート式防寒用品を提供する。【解決手段】右前身頃と左前身頃を十分に重ねることにより、座ったときに重なり部分がずれにくくなる。従来のスカートの形状を持った１枚布になるよう仕上げ、前身頃に簡易固定用具をつけるため、立ち歩くことが出来る。また、簡易固定用具を使用するため、着脱が容易となる。巻きスカート状のため、足だけでなく腹・腰・尻まで温かい。また、布地の選択により夏場の冷房による冷え対策ができ、布地の使い方により一層保温効果を高めることができる。【選択図】図１
0003146322.tif 000002
【実用新案登録請求の範囲】
【請求項１】
右前身頃端・左前身頃端のウエスト部分から裾の布地を脇線近傍まで十分に取って重ね合わせ、前身頃ウエスト部分両端に簡易固定用具を使用した着脱容易なロング丈巻きスカート式防寒用品。
【請求項２】
内側腹部・腰部に保温効果の高まる布地を使用した、請求項１に記載のロング丈巻きスカート式防寒用品。
【考案の詳細な説明】
【技術分野】
【０００１】  本考案は、防寒用品に関するものである。
【背景技術】
【０００２】  従来から、足の冷えを防ぐための防寒用品として、ひざ掛けが多く使用されている。
【考案の開示】
【考案が解決しようとする課題】
【０００３】  しかし、従来のひざ掛けでは、体を動かすとずれたり落ちたりし、気になり掛けなおすという動作が必要である。また、ひざ掛けを使用したまま立ち歩くのは困難である。その他、接客や突然の来客等、防寒用品をすぐに取り外さなければならない場合がある。本考案は、以上のような欠点をなくすためになされたものである。
【課題を解決するための手段】
【０００４】  この課題を解決するための請求項１の考案は、右前身頃端・左前身頃端のウエスト部分から裾の布地を脇線近傍まで十分に取り、右前身頃と左前身頃を重ねる。身頃ウエスト部にダーツを入れる等、従来のスカートの形状を持った１枚布になるよう仕上げる。前身頃ウエスト部分両端に面ファスナーあるいは紐・釦等、着脱容易かつサイズ調節可能な簡易固定用具を付ける。【０００５】  ロング丈巻きスカート式防寒用品を着用時、自分で踏み、転倒しない程度の長さが望ましい。【０００６】  請求項２は、ロング丈巻きスカート式防寒用品の保温効果をより一層高める。
【考案の効果】
【０００７】  ロング丈巻きスカート式防寒用品を着用して座ったとき、右前身頃端・左前身頃端のウエスト部分から裾の布地を脇線近傍まで十分に取っている為、裾端の布が脇線下方に垂れ、重なり部分のずれが最小限に納まり、開けることが無く温かい。ロング丈巻きスカート式防寒用品を着用して立ち歩くことが出来る。ウエスト部分にもたつきが無くすっきりし、シルエットがきれいになりおしゃれである。簡易固定用具の使用が前身頃ウエスト部分両端２箇所であるため、着脱が容易である。【０００８】  ロング丈巻きスカート式防寒用品を着用時、足だけでなく腹・腰・尻まで温かい。【０００９】  布地の素材を変えることにより、夏場の冷房による冷え対策、下半身の冷え対策等、用途が幅広くなる。内側腹部・腰部に保温効果の高まる布地を使用することにより、より一層保温効果が高まる。
【考案を実施するための最良の形態】
【００１０】  図１は、右前身頃（１）が上、左前身頃（２）が下の場合の図である。同図に示すように、左前身頃（２）の端のウエスト部分から裾の布地を右脇線（５）近傍まで十分に布地を取り、右前身頃（１）を重ねる。【００１１】  図１、図２は、着脱容易かつウエスト寸法が調節できるように簡易固定用具（７ａ）（７ｂ）簡易固定用具（７ｃ）（７ｄ）に面ファスナーを使用した場合の図である。５ｃｍまでウエスト寸法の調節ができるように１０ｃｍ程の長さの面ファスナーを付ける。着用者全員の前身頃の重なり部分が開けてしまわないために、前身頃ウエスト左端部分（Ａ）が左脇線（６）から５ｃｍ以内に納まるよう、サイズ展開をする。例えば、ウエスト６０ｃｍのロング丈巻きスカート式防寒用品の場合、５ｃｍまで調節ができるため、ウエスト６５ｃｍの人にも対応できる。簡易固定用具（７ａ）（７ｂ）簡易固定用具（７ｃ）（７ｄ）は、着脱容易かつウエスト寸法の調節ができるものを使用する。【００１２】  ウエスト部分の縁取り（４）、ダーツ（８）は、体型の形状を作るための１例である。その他、ヨーク等、従来のスカートウエスト部の構造でも良い。【００１３】  前身頃裾端（９）の形状は、丸みを帯びてもよい。【００１４】  図４は、ロング丈巻きスカート式防寒用品の内側腹部・腰部に保温効果の高まる布地（１０）を使用した場合の図である。【００１５】  布地の素材を変えることにより、夏場の冷房による冷え対策、下半身の冷え対策等、用途が幅広くなる。よって、布地は特に限定しない。但し、ロング丈巻きスカート式防寒用品完成時、立ち歩きの際簡易固定用具（７ａ）（７ｂ）簡易固定用具（７ｃ）（７ｄ）が外れない程度の重量の布地を使用する。
【図面の簡単な説明】
【００１６】
【図１】  ロング丈巻きスカート式防寒用品の固定用具の様子を示した図。
【図２】  ロング丈巻きスカート式防寒用品完成時の正面図。
【図３】  図２の前身頃の重なり部分を示した断面図。
【図４】  ロング丈巻きスカート式防寒用品の内側腹部・腰部に保温効果の高まる布地を使用した場合の図。
【符号の説明】
【００１７】  １    右前身頃
２    左前身頃
３    後ろ身頃
４    ウエスト部分の縁取り
５    右脇線
６    左脇線
７ａ  簡易固定用具（面ファスナー）
７ｂ  簡易固定用具（面ファスナー）
７ｃ  簡易固定用具（面ファスナー）
７ｄ  簡易固定用具（面ファスナー）
８    ダーツ
９    前身頃裾端
１０  保温効果の高まる布地
Ａ    前身頃ウエスト左端部分
【図１】
0003146322.tif 000003
【図２】
0003146322.tif 000004
【図３】
0003146322.tif 000005
【図４】
0003146322.tif 000006
(57)【要約】      （修正有）【課題】印鑑ケースの金枠ヒンジの両端部の角張りをなくし、手触りや見栄えを良くするだけでなく、糸に引っかかる等の問題を解消する。【解決手段】一対の外側パイプシャフト２ａ及び２ｂと、一対の内側パイプシャフト３ａ及び３ｂからなる印鑑ケースの金枠ヒンジにおいて、上記外側パイプシャフトの外側端面をＲ状に形成し、該外側端面から内側方向に所定の間隔をおいてカシメ跡４ａ及び４ｂを残すことにより問題点を解決する。【選択図】図１
0003146327.tif 000002
【実用新案登録請求の範囲】
【請求項１】
一対の外側パイプシャフトと、一対の内側パイプシャフトからなる印鑑ケースの金枠ヒンジにおいて、上記外側パイプシャフトの外側端面をＲ状に形成し、該外側端面から内側方向に所定の間隔をおいてカシメ跡を残したことを特徴とする印鑑ケースの金枠ヒンジ
【考案の詳細な説明】
【技術分野】
【０００１】  本考案は、印鑑ケースの金枠ヒンジに使用されるパイプシャフトに関するものである。
【背景技術】
【０００２】  従来の印鑑ケースの金枠ヒンジにおいては、端面にほとんど加工が施されていないパイプシャフトが使用されていた。さらに、このパイプシャフトに芯金を通し、パイプシャフトの最端部をカシメることによって、芯金を固定していた。したがって、従来の印鑑ケースの金枠ヒンジの外側端部は、そもそもが角張ったパイプシャフトが使用され、さらにカシメられて押し潰された状態となっていた。
【考案の開示】
【考案が解決しようとする課題】
【０００３】  外側端部が角張っていて、しかも外側端部がカシメされた金枠ヒンジの場合、印鑑ケース自体を持ったときの手触りが悪いだけでなく、ポケットや鞄に入れて持ち運んだときに、糸等に引っかかったり、一緒に入れていた物を傷つける等の問題があった。さらに、カシメ跡が最端部に押し潰された状態で残っていたので、見栄えの良いものではなかった。
そこで、本考案は、金枠ヒンジの外側端部の角張りをなくすことにより、上記問題点を解決しようとするものである。
【課題を解決するための手段】
【０００４】  本考案は、一対の外側パイプシャフトと、一対の内側パイプシャフトからなる印鑑ケースの金枠ヒンジにおいて、上記外側パイプシャフトの外側端面をＲ状に形成し、該外側端面から内側方向に所定の間隔をおいてカシメ跡を残すことにより問題点を解决している。
【考案の効果】
【０００５】  以上のように、金枠ヒンジの外側端部をＲ形状にし、しかもカシメ跡をより内側に残すことによって、印鑑ケースの金枠ヒンジの端部の角張りはなくなり、見栄えが良くなった。そして、角張りなくなることにより、手触りが良くなるだけでなく、糸等に引っかかったり、一緒に入れていた物を傷つける等の問題が解消された。
【考案の実施するための最良の形態】
【０００６】  以下、添付図面に従って、本考案に係る印鑑ケースの金枠ヒンジの実施形態を詳細に説明する。
図１は、本考案に係る印鑑ケースの金枠ヒンジを使用した、開いた状態の印鑑ケースの正面図である。
図２は、本考案に係る印鑑ケースの金枠ヒンジを使用した、閉じた状態の印鑑ケースの斜視図である。
図３は、本考案に係る印鑑ケースの金枠ヒンジの外側パイプシャフトを示す斜視図である。
【０００７】  １は印鑑ケースの金枠ヒンジ全体である。２は金枠ヒンジの外側パイプシャフトで２ａと２ｂの一対になっている。３は金枠ヒンジの内側パイプシャフトで３ａと３ｂの一対になっている。４は外側パイプシャフトに残されたカシメ跡であり、４ａと４ｂの一対になっている。
【０００８】  外側パイプシャフトの外側端部（内側パイプシャフトと接していない側）の端面はＲ形状をしている。そして、それぞれのパイプシャフトに芯金を通して、外側パイプシャフトをカシメることによって、金枠の開く方向にねじり力を加えているが、外側パイプシャフトの外側端部から例えば２ミリメートル程度内側方向にずらして、カシメ跡を残す。
【図面の簡単な説明】
【０００９】
【図１】開いた状態の印鑑ケースの正面図
【図２】閉じた状態の印鑑ケースの斜視図
【図３】外側パイプシャフトを示す斜視図
【符号の説明】
【００１０】１  金枠ヒンジ
２  外側パイプシャフト
３  内側パイプシャフト
４  カシメ跡
【図１】
0003146327.tif 000003
【図２】
0003146327.tif 000004
【図３】
0003146327.tif 000005
(57)【要約】      （修正有）【課題】寒冷期におけるベンチ着座時の体感温度を高め快適感を与えるベンチを提供する。【解決手段】２以上の脚と該脚上部で該脚を繋ぐ２以上の梁とで矩形のフレームを構成し、該フレームの下部に底板を固着し、該フレーム内で該底板の上側に設けた断熱材を介して、上面が前記梁上面と平面となるように、電気配線された平板矩形状の電気式暖房パネルを装着して座面を成し、電気により前記電気式暖房パネルを保温することにより、前記座面が暖かい機能を持つことを特徴とした暖房機能付きベンチである。【選択図】図１
0003146321.tif 000002
【実用新案登録請求の範囲】
【請求項１】
２以上の脚と該脚上部で該脚を繋ぐ２以上の梁とで矩形のフレームを構成し、該フレームの下部に底板を固着し、該フレーム内で該底板の上側に設けた断熱材を介して、上面が前記梁上面と平面となるように、電気配線された平板矩形状の電気式暖房パネルを装着して座面を成し、電気により前記電気式暖房パネルを保温することにより、前記座面が暖かい機能を持つことを特徴とした暖房機能付きベンチ。
【考案の詳細な説明】
【技術分野】
【０００１】  本考案は規模が大きめで雨水が直接入り込まない屋内空間に設置するための暖房機能付きベンチに関する。
【背景技術】
【０００２】  公共スペースのロビーや休息コーナー、駅や空港、病院などの待合室など、これらの場所は空間が広いことや人の出入りが多いことで、冬季において室温が低いことが多い。このようなところに設置されている従来のベンチの素材は木、金属、プラスチックなど様々あるが、どれも表面温度は室温と同じ温度で、冬季に於いて座った直後は冷たく寒々と不快に感じている。
【考案の開示】
【考案が解決しようとする課題】
【０００３】  本考案は冬季に於いて、このような空間にあるベンチに座った直後に冷たく感じる不快感を暖房機能を持たせることにより、解消し利用者に快適感を与えることを課題とする。
【課題を解決するための手段】
【０００４】  課題を解決するため、本考案は、２以上の脚と該脚上部で該脚を繋ぐ２以上の梁とで矩形のフレームを構成し、該フレームの下部に底板を固着し、該フレーム内で該底板の上側に設けた断熱材を介して、上面が前記梁上面と平面となるように、電気配線された平板矩形状の電気式暖房パネルを装着して座面を成し、電気により前記電気式暖房パネルを保温することにより、前記座面が暖かい機能を持つことを特徴とした暖房機能付きベンチとする。
【考案の効果】
【０００５】  電気式暖房パネルを使っているので通常１００ボルトのコンセントからの電力で使用でき、容易に配線をつなぐことができ、設置場所に特別な工事、設備などを必要としない。【０００６】  １箇所のコンセントからの電力で、広い空間でも複数台のベンチを暖めることができ、施設内においての暖房機能付きベンチのレイアウトが自由にできる。【０００７】  発熱体に電気式暖房パネルをしており、暖房パネル底部に断熱材を付けることにより、下方への放熱を減らし暖房効率を高めている。
【考案を実施するための最良の形態】    以下、本考案の実施形態について図を参照し説明する。【０００８】  図１は本考案の全体構成を表している。図１のＡ−Ａ断面の断面図を図２に示す。本考案の暖房機能付きベンチは、任意の構造に形成された２以上の脚１と、この脚の上部で脚を繋ぐ２以上の梁２とで矩形のフレーム３を構成する。該フレーム３の下部に底板４を固着し、フレーム内で底板４の上側に断熱材５を設ける。断熱材５の上に、上面が梁上面と平面となるように、平板矩形状の電気式暖房パネル６を装着してこれら全体で座面７とする。電気式暖房パネル６には、電気配線用の電気コード８を備え、電気コード端にはコンセント９を設ける。また、複数台のベンチを繋ぐための電気コードの接続端子（図示せず）を設けても良い。【０００９】  電気により前記電気式暖房パネルを保温することにより、前記座面が暖かい機能を持つことを特徴とした暖房機能付きベンチとする。
本考案の暖房機能付きベンチは、図１に示した他に、背当てや肘掛けを設けても良い。【００１０】  図３は、暖房機能付きベンチを複数台直列に並べた例を示し、電気コードの接続端子（図示せず）により接続される。【００１１】  図４は、暖房機能付きベンチを複数台離れた位置に配置した例を示し、電気コードの接続端子（図示せず）を利用して、延長コード１０により接続される。
【図面の簡単な説明】
【００１２】
【図１】  本考案の暖房機能付きベンチの全体構成を示す外観斜視図
【図２】  図１のＡ−Ａ断面の断面略図
【図３】  本考案暖房機能付きベンチを複数台直列に並べた例
【図４】  本考案暖房機能付きベンチを複数台離れた位置に配置した例
【符号の説明】
【００１３】  １  脚
２  梁
３  フレーム
４  底板
５  断熱材
６  電気式暖房パネル
７  座面
【図１】
0003146321.tif 000003
【図２】
0003146321.tif 000004
【図３】
0003146321.tif 000005
【図４】
0003146321.tif 000006
(57)【要約】      （修正有）【課題】布類の伸縮性や機能等を失うことなくしかも高度の耐久性を保ちうるような健康指向の布製見回品を提供する。【解決手段】粉末状の溶岩鉱石１とエラストマ−２との混合物Ａを布製見回品における布体３の少なくとも片面部分に積層させ、電気毛布、電気座布団、座席用シート、パンツ、腹巻、ティーシャツ、コルセット、敷布、リストバンド、枕等に適用させる。【選択図】図１
0003146328.tif 000002
【実用新案登録請求の範囲】
【請求項１】
粉末状の溶岩鉱石とエラストマ−との混合物を衣製見回品における布体の少なくとも片面部に積層させたことを特徴とする溶岩鉱石を用いた布製見回品。
【請求項２】
布製見回品が電気毛布である請求項１記載の溶岩鉱石を用いた布製見回品。
【請求項３】
布製見回品が電気座布団である請求項１記載の溶岩鉱石を用いた布製見回品。
【請求項４】
布製見回品が座席用シートである請求項１記載の溶岩鉱石を用いた布製見回品。
【請求項５】
布製見回品が腹巻ないしコルセットである請求項１記載の溶岩鉱石を用いた布製見回品。
【請求項６】
布製見回品がティーシャツである請求項１記載の溶岩鉱石を用いた布製見回品。
【請求項７】
布製見回品がパンツである請求項１記載の溶岩鉱石を用いた布製見回品。
【請求項８】
布製見回品が敷布である請求項１記載の溶岩鉱石を用いた布製見回品。
【請求項９】
布製見回品がリストバンドである請求項１記載の溶岩鉱石を用いた布製見回品。
【請求項１０】
布製見回品が枕である請求項１記載の溶岩鉱石を用いた布製見回品。
【考案の詳細な説明】
【技術分野】
【０００１】この考案は、身体の不快感などを除くことを狙った溶岩鉱石を用いた布製見回品に関する。
【背景技術】
【０００２】身体各所の痛みや血行不良等不快感や症状の改善をはかるための各種サポーターや磁気絆などが既によく知られている。また布地にある種の機能性材料を積層或いは含浸させた健康グッズ等も既に知られている。
【考案の開示】
【考案が解決しようとする課題】
【０００３】
【０００４】このような現状における様々な健康グッズ類は、かかる機能性材料を積層させることによって、布類のもつ伸縮性や風合い、肌触りなどをしばしば損なう憂いがあった。本考案はかかる問題点を解決して、布類の伸縮性や機能を失うことなくしかも高度の耐久性を保ちうるような健康衣類等を提供することを課題とする。
【課題を解決するための手段】
【０００５】粉末状の溶岩鉱石１とエラストマ−２との混合物Ａを布製見回品における布体３の少なくとも片面部分に積層させて、本考案の溶岩鉱石を用いた布製見回品とする。【０００６】ここでいう粉末状の溶岩鉱石１とは、火山灰や火山れき等のような火山噴出物すなわち溶岩が冷却・硬化して出来た鉱石を粉末化したもののことであり、一般に機能性鉱物とはみなされていないが、本考案者はあえてこれをエラストマ−と共に布体に積層してみたところ、疲労回復などに好影響があるものにすることができた。
但しこの溶岩鉱石のみを粉末体として用いるとは限らず、これを主体の一つとして用いるかぎり、他の様々な機能性鉱物や一般鉱物の粉末を同時に混合して用いても良い。【０００７】またエラストマ−２とは、硬化後においてゴム状になるシリコンやウレタン等の成形材、接着剤、或いは塗材等として用いられているもののことであり、本考案ではこれを主に塗財として用い、塗布、印刷、或いは浸漬等により、片面又は両面に、またパターン状又はベタ状に、布体３に積層する。【０００８】布体３を有し本考案に適している布製見回品としては、電気毛布、電気座布団、座席用シート、腹巻、ティーシャツ、パンツ、コルセット、敷布、リストバンド、枕等が挙げられる。
【考案の効果】
【０００９】本考案によれば、動きのある身体に近接して長時間使用されがちな布製見回品において、伸縮性のあるエラストマ−を媒体として硬質の溶岩鉱石を粉末化して積層させているから、肌触りがソフトであるばかりか、屈曲の繰り返しや洗濯等に対しても積層部のクラックや剥離を甚だおこしにくく、比較的大量の溶岩鉱石を布類に配置できてしかも耐久性があるなどの効果がある。
【考案を実施するための最良の形態】
【００１０】重量比において、平均粒径約３０μｍの溶岩鉱石２０％、医王石２０％、ブラックシリカ１０％、トルマリン１０％、酪酸ナトリウム１０％、炭酸カリウム１０％、ラジウム鉱石１０％、ゲルマニウム１０％の混合物１００ｇを適宣溶剤で希釈した固形物換算３５ｇのエラストマ−系シリコン中に混合し、この混合物Ａを例えばシルクスクリーン印刷法や浸漬法により、図面のように電気毛布、電気座布団、座席用シート、腹巻、ティーシャツ、パンツ、敷布、コルセット、リストバンド、枕等の布体部にベタ塗り又はパターン状に積層（塗布）する。積層の厚みは０．１〜１ｍｍ程度が望ましいが、それは塗材の溶剤量の多少で適宣選択できる。
【産業上の利用可能性】
【００１１】本考案の布製見回品は、溶岩鉱石とエラストマ−による思いのほか良好な使用感と耐久性を兼ね備えているためニーズが高く、また製造も容易であるから、産業上の利用可能性は十分にある。
【図面の簡単な説明】
【００１２】
【図１】本考案布体部の拡大断面図
【図２】本考案の電気毛布例の見取図
【図３】本考案の電気座布団例の見取図
【図４】本考案の座席用シート例の見取図
【図５】本考案の腹巻例の見取図
【図６】本考案のティーシャツ例の見取図
【図７】本考案のパンツ例の見取図
【図８】本考案の敷布例の見取図
【図９】本考案のリストバンド例の見取図
【図１０】本考案の枕例の見取図
【符号の説明】
【００１３】１・・・・・粉末状の溶岩鉱石          ２・・・・・エラストマ−
３・・・・・布体                      Ａ・・・・・混合物
【図１】
0003146328.tif 000003
【図２】
0003146328.tif 000004
【図３】
0003146328.tif 000005
【図４】
0003146328.tif 000006
【図５】
0003146328.tif 000007
【図６】
0003146328.tif 000008
【図７】
0003146328.tif 000009
【図８】
0003146328.tif 000010
【図９】
0003146328.tif 000011
【図１０】
0003146328.tif 000012
(57)【要約】      （修正有）【課題】厚い紙の印刷用紙の印刷面を平らに保ち、印刷の精度を上げると共に、プリンターヘッドが接触しない均一な間隙を保つ厚い紙の印刷用紙を提供する。【解決手段】厚い紙の印刷用紙の底部に離ケイ紙５を貼付する。この本体1及び離ケイ紙５の裏面に粘着台紙シート２を貼付する。粘着台紙シート２には両面に粘着部３,４を貼付する。印刷開始時に本厚い紙の印刷用紙から離ケイ紙６を剥がし、印刷給紙台に置くと粘着部４の働きで、印刷用紙と印刷給紙台が密着され、印刷面が平らになり印刷が容易になる。印刷後は粘着台紙シート２と粘着部３、４を厚い紙の印刷用紙１から剥離すれば、離ケイ紙５の効果で簡単に剥がれ、かつ粘着部がなくなるので、汚れを気にせず普通の厚い紙の印刷物として扱える。【選択図】図１
0003146422.tif 000002
【実用新案登録請求の範囲】
【請求項１】
用紙裏面に粘着シートを貼ったことを特徴とする厚い紙の印刷用紙。
【請求項２】
前記粘着シートは、表裏二面に粘着部を持つことを特徴とする「請求項１」記載の厚い紙の印刷用紙。
【請求項３】
前記粘着シートは、印刷完了後簡単に剥離することができる事を特徴とする「請求項1」記載の厚い紙の印刷用紙。
【考案の詳細な説明】
【技術分野】
【０００１】
この考案は、厚い紙の印刷用紙に関するものである。
【背景技術】
【０００２】
従来、プリンターで印刷できる紙の厚さは一定の幅はあるものの限度があり、その限界を超えると印刷は不可であった。しかも、以上の技術によっても通常の保管状況で外囲の温湿度の変化によって紙が反り返った印刷用紙は印刷面が平らにならず、印刷が不鮮明であったり、プリンターのインクヘッドと接触し易く、それが原因でプリンター本体が故障することがあった。
【考案の開示】
【考案が解決しようとする課題】
【０００３】
そこでこの考案は、厚い紙の印刷用紙の印刷面を平らに保ち、印刷の精度を上げると共に、プリンターヘッドが接触しない均一な間隙を保つ印刷用紙を提供することを課題とする。
【課題を解決するための手段】
【０００４】
以上の課題を解決するために、第一考案は、印刷用紙の裏面に粘着シートを貼付することで印刷用紙と印刷給紙台との密着度が増し、印刷面が平面になることを特徴とする厚い紙の印刷用紙である。
また、第二考案は、粘着シートは表裏二面に粘着部を設け、同時に印刷用紙と印刷給紙台両方を貼り付けることを特徴とする厚い紙の印刷用紙である。
また、第三考案により、印刷完了後この粘着部を簡単に剥離させることで普通の印刷物となる厚い紙の印刷用紙である。
【考案の効果】
【０００５】
第一考案、または第二考案によれば、厚い紙の印刷用紙裏面に粘着性を持たせ、印刷給紙台と圧着させる事で平らな紙として扱えるため、印刷面が平らになり鮮明な印刷がし易く、また、プリンターヘッドと印刷用紙の間隙が均一となるため、プリンターヘッドとの接触による故障の心配もなくなる。
第三考案により、印刷完了後通常の印刷用紙で印刷した物と同様に扱える。
【考案を実施するための最良の形態】
【０００６】
この考案の一実施形態を、図１に示す。
厚い紙の印刷用紙の本体１はボール紙製であり、その底部に離ケイ紙５が貼付されている。この本体１及び離ケイ紙５の裏面には、粘着台紙シート２が貼付されている。この粘着台紙シート２には表裏二面に粘着部３と粘着部４が貼付されている。さらに粘着シート２の裏面には離ケイ紙６が貼付されている。
【実施例１】
【０００７】
この実施形態によれば、印刷開始時に印刷用紙本体1から離ケイ紙６を剥がし、印刷給紙台の上にセットする。粘着部４の働きで、印刷給紙台に置いた印刷用紙本体1は圧着され安定する。したがって、印刷表面が平らになり印刷し易くなる。さらにインクヘッドとの間隙も一定となるので、インクヘッドが印刷用紙と接触する心配もなくなる。印刷後、粘着台紙２と粘着部３、粘着部４を剥離すると粘着部がなくなるので、汚れを気にせず通常の印刷物として扱える。
【実施例２】
【０００８】
CDダイレクト印刷機能のある家庭用のプリンターを使えば、円形にカットした本厚い紙の印刷用紙を使って、円盤状の印刷物を簡単に印刷することができる。
【実施例３】
【０００９】
実施例2を実行する際に、本厚い紙の印刷用紙を円形にカットした後、ジグソーパズル状に細かく切れ込みを入れた状態となっても、印刷面は常に平らになるため、通常の紙で印刷したものと同様なきれいな印刷物が簡単に出来上がる。
【図面の簡単な説明】
【００１０】
【図１】この考案の一実施形態を示す斜視構成図である。
【図２】この考案の一実施形態を示す断面図である。
【符号の説明】
【００１１】
１  厚い紙の印刷用紙  
２  粘着台紙シート
３  粘着部                                
４  粘着部
５ 離ケイ紙                 
６ 離ケイ紙
【図１】
0003146422.tif 000003
【図２】
0003146422.tif 000004
(57)【要約】      （修正有）【課題】外壁材とフレキシブルボード・制振マットサンドイッチパネル間の音の反射反響を低減するパネルを提供する。【解決手段】ポリエステル繊維吸音材付フレキシブルボード・制振マットサンドイッチパネルは、従来のフレキシブルボード（１），（３）・制振マット（２）サンドイッチパネルにポリエステル繊維吸音材（４）を装着させることにより、フレキシブルボード・制振マットサンドイッチパネルの吸音性能を増加し、外壁材（７）とフレキシブルボード・制振マットサンドイッチパネル間の音の反射反響を低減させることができる。【選択図】図１
0003146448.tif 000002
【実用新案登録請求の範囲】
【請求項１】
制振マットを２枚のフレキシブルボードで挟んだ内部用サンドイッチパネルの裏面にポリエステル繊維吸音材を装着することによって、既存内壁材とフレキシブルボード間の音の反射反響を低減し、その結果フレキシブルボード・制振マットサンドイッチパネルの遮音性能を増加させることを特徴とするポリエステル繊維吸音材付フレキシブルボード・制振マットサンドイッチパネル。
【考案の詳細な説明】
【技術分野】
【０００１】
本考案は、フレキシブルボード・制振マットサンドイッチパネルの吸音性能の増加に関するものである。
【背景技術】
【０００２】
現在のフレキシブルボード・制振マットサンドイッチパネルにポリエステル繊維吸音材を装着した防音材料はなかった。
【考案の開示】
【考案が解決しようとする課題】
【０００３】
外壁材を透過した音がフレキシブルボード・制振マットサンドイッチパネルと外壁材間で反射反響する。
【課題を解決するための手段】
【０００４】
本考案は、フレキシブルボード・制振マットサンドイッチパネルにポリエステル繊維吸音材を装着させることにより、フレキシブルボード・制振マットサンドイッチパネルと外壁材間の音の反射を低減することができる。
【図面の簡単な説明】
【０００５】
【図１】ポリエステル繊維吸音材付フレキシブルボード制振マットサンドイッチパネルの断面図である。
【符号の説明】
【０００６】
（１）フレキシブルボード
（２）制振マット
（３）フレキシブルボード
（４）ポリエステル繊維吸音材
（５）下地鉄骨
（６）六角ヘックス
（７）外壁材
【図１】
0003146448.tif 000003
(57)【要約】      （修正有）【課題】壁取付型の電話機で、送受話器に外力が加わっても容易に脱落しない構造を提供する。【解決手段】送受話器１０を保持するためのツメを設けた電話機本体２０から送受話器の受話口部分の左右側面を覆う第１の縁２１と、送話口部分の左右側面及び下面を覆う第２の縁２２を電話機本体２０に設けて送受話器の動きを規制し、身体の一部が接触する等で電話機が直接大きな外力を受けた場合でも縁がガイドする事で容易には脱落しない事を可能とした。【選択図】図１
0003146444.tif 000002
【実用新案登録請求の範囲】
【請求項１】
送受話器を保持するためのツメを設けた電話機本体と前記ツメにかん合する凹部を設けた送受話器からなる壁掛け電話機において、送受話器の受話口部分の左右側面を覆う第１の縁と、送話口部分の左右側面及び下面を覆う第２の縁を電話機本体に設けて送受話器の動きを規制し、外力による送受話器の脱落を防止することを特徴とする壁掛け電話機の送受話器脱落防止構造。
【考案の詳細な説明】
【技術分野】
【０００１】
本考案は、壁掛け電話機の送受話器脱落防止構造に関するものである。
【背景技術】
【０００２】
電話機を壁面に設置して使用する場合、送受話器の受話口下部に設けられた凹部に電話機本体に設けられた壁掛け用ツメを引掛けて送受話器を固定する構造が一般的に用いられている。
【考案の開示】
【考案が解決しようとする課題】
【０００３】
しかしながら、前記構造では固定部は送受話器の上部（受話口部分）のみとなっており送受話器下部に自由度があることと、送受話器の自重にて保持されているだけであることから、送受話器下方向や横方向から外力が加わると送受話器が電話機本体から脱落してしまうという欠点があった。
前記欠点を除去するため、例えばスポンジ状のホルダを受話口下部に設置し、送受話器の動きを規制する提案が開示されている。
【特許文献１】特開平０９−２００３１３号公報
【０００４】
しかしながら、前記提案では地震のような振動に対しては脱落を防止する効果はあるものの、送受話器が電話機本体の表面から突出しているため、人などが壁掛け電話機の周囲を通行する際に身体の一部が接触する等で送受話器が直接大きな外力を受けた場合には脱落を防止することが困難である。
本考案は上記の問題点を解決するもので、電話機が直接大きな外力を受けても送受話器が脱落しないように保護を行うものである。
【課題を解決するための手段】
【０００５】
上記の課題を達成するために、送受話器を保持するためのツメを設けた電話機本体と前記ツメにかん合する凹部を設けた送受話器からなる壁掛け電話機において、送受話器の受話口部分の左右側面を覆う第１の縁と、送話口部分の左右側面及び下面を覆う第２の縁を電話機本体に設けて送受話器の動きを規制し、身体の一部が接触する等で電話機が直接大きな外力を受けた場合でも送受話器の脱落を防止できる脱落防止構造とした。
【０００６】
送受話器全体を覆うと送受話器を外す動作を行う際に持ちにくくなるため、送受話器中央部は縁を設けない。送受話器に外力がかかり脱落する時は送受話器が固定部を中心に回転して外れる為であることから、縁は送受話口側と送話口側の両端に設けガイドすることで回転を防止し脱落を防止する事が可能である。
また、電話機本体から送受話器下面側にも縁を設け覆うことで下面からの外力が直接送受話器にからないようにする。
【考案の効果】
【０００７】
本考案に係わる壁取付型電話機の送受話器脱落防止構造によれば、送受話器側面及び下面の縁を設けた部分は送受話器に直接外力がかからない為に脱落を防止できる。
また、送受話器側面の縁を設けていない部分に外力が加わったとしても送受話器の回転を防ぎ脱落には至らない。
【実施例】
【０００８】
以下、図面を参照して本考案の実施の形態について詳細を説明する。
図１は本考案による一実施例の全体構成を示す斜視図である。１０は送受話器、２０は電話機本体、３０は電話機本体２０と送受話器１０を接続する送受話器コードである。
２１は電話機本体２０に設けた送受話器上端受話口部分の左右側面を覆う第１の縁、２２は送受話器下端送話口部分の左右側面と下面を覆う第２の縁であり、側面や下面から外力がかかっても前記各縁２１，２２が送受話器１０を保護し送受話器１０に直接外力がかからないようになるため送受話器１０の脱落を防止する。また、２３は電話機本体２０と送受話器１０の間の空間であり、送受話器１０を取り外す際に手を入れて容易に送受話器１０をつかむ事が可能である。
【０００９】
図２は正面図、図３は側面図である。
なお、以下は図面の複雑さを避けるため、送受話器コード３０は図示を省略している。電話機を壁面に設置して使用する場合の固定構造は１１送受話器取付穴に、２４電話機本体の取付用ツメを引掛けて取付ける。
図４は従来の壁掛け電話機の斜視図である。縁２２が無いと１１及び２４を中心に矢印ａ方向又はｂ方向に回転して送受話器が脱落するが、図１に示す様に縁２２があることで回転を抑止し脱落を防止する。
【図面の簡単な説明】
【００１０】
【図１】本考案による一実施例の全体構成を示す斜視図である。
【図２】本考案による一実施例の全体構成を示す正面図である。
【図３】本考案による一実施例の全体構成を示す側面図である。
【図４】（ａ）は従来の壁掛け電話機の斜視図、（ｂ）は従来の壁掛け電話機の側断面図である。
【符号の説明】
【００１１】
１０      送受話器
１１      送受話器の凹部
２０      電話機本体
２１      電話機本体の第１の縁
２２      電話機本体の第２の縁
２３      送受話器をつかむ為の空間
２４      電話機本体の壁掛け用ツメ
２５      送話口部分の側面
３０      送受話器コード
【図１】
0003146444.tif 000003
【図２】
0003146444.tif 000004
【図３】
0003146444.tif 000005
【図４】
0003146444.tif 000006
(57)【要約】      （修正有）【課題】吸音性能を増加させたポリエステル繊維吸音材付石膏ボード・制振マットパネルを提供する。【解決手段】ポリエステル繊維吸音材付石膏ボード・制振マットパネルは、従来の石膏ボード・制振マットパネル（１）＋（２）にポリエステル繊維吸音材（３）を装着させることにより、石膏ボード・制振マットパネルの吸音性能を増加し、壁材と石膏ボード・制振マットパネル間の音の反射反響を低減させることができることを特徴とする。【選択図】図１
0003146447.tif 000002
【実用新案登録請求の範囲】
【請求項１】
制振マットを石膏ボードに貼り付けたパネルの裏面にポリエステル繊維吸音材を装着することによって、既存内壁材と石膏ボード間の音の反射反響を低減し、その結果石膏ボード・制振マットパネルの遮音性能を増加させることを特徴とするポリエステル繊維吸音材付石膏ボード・制振マットパネル。
【考案の詳細な説明】
【技術分野】
【０００１】
本考案は、石膏ボード・制振マットパネルの吸音性能の増加に関するものである。
【背景技術】
【０００２】
現在の石膏ボード・制振マットパネルにポリエステル繊維吸音材を装着した防音材料はなかった。
【考案の開示】
【考案が解決しようとする課題】
【０００３】
壁材を透過した音が石膏ボード・制振マットパネルと壁材間で反射反響する。
【課題を解決するための手段】
【０００４】
本考案は、石膏ボード・制振マットパネルにポリエステル繊維吸音材を装着させることにより、石膏ボード・制振マットパネルと壁材間の音の反射を低減することができる。
【図面の簡単な説明】
【０００５】
【図１】ポリエステル繊維吸音材付石膏ボード制振マットパネルの断面図である。
【符号の説明】
【０００６】
（１）石膏ボード
（２）制振マット
（３）ポリエステル繊維吸音材
（４）下地鉄骨
（５）六角ヘックス
（６）壁材
【図１】
0003146447.tif 000003